(57)【要約】本発明は、低コスト化及び消費電力の抑制を実現しつつランプイメージの発生を抑制した照明装置を提供することを目的とする。本発明の照明装置１２は、並列配置された複数の線状光源１７と、前記線状光源１７を収容し、前記線状光源１７の光を出射するための開口部１４ｂを有するシャーシ１４と、前記線状光源１７と対向し、前記開口部１４ｂを覆う形で配される光学部材１５ａと、を備え、前記線状光源１７は、その配列間隔が相対的に密である光源高密度領域ＬＨと、配列間隔が相対的に疎である光源低密度領域ＬＬと、を有して配置されており、前記光学部材１５ａのうち、少なくとも前記光源低密度領域ＬＬと重畳する部位には、前記線状光源１７からの光を反射する光反射部５０が形成されていることを特徴とする。
2011036953.tif 000002
【特許請求の範囲】
【請求項１】
並列配置された複数の線状光源と、
前記線状光源を収容し、前記線状光源の光を出射するための開口部を有するシャーシと、
前記線状光源と対向し、前記開口部を覆う形で配される光学部材と、を備え、
前記線状光源は、その配列間隔が相対的に密である光源高密度領域と、配列間隔が相対的に疎である光源低密度領域と、を有して配置されており、
前記光学部材のうち、少なくとも前記光源低密度領域と重畳する部位には、前記線状光源からの光を反射する光反射部が形成されていることを特徴とする照明装置。
【請求項２】
前記光反射部は、前記光学部材のうち前記線状光源と平面視重畳する位置に形成されていることを特徴とする請求項１に記載の照明装置。
【請求項３】
前記線状光源の短手方向において、前記光反射部の平面視した長さは、前記線状光源の平面視した長さに比べて大きいことを特徴とする請求項２に記載の照明装置。
【請求項４】
前記光反射部は、前記光学部材のうち前記光源低密度領域と重畳する部位において当該光学部材の光反射率が最も大きくなるように形成されていることを特徴とする請求項１から請求項３のいずれか１項に記載の照明装置。
【請求項５】
前記光反射部は、前記光学部材のうち前記線状光源と対向する面に形成されていることを特徴とする請求項１から請求項４のいずれか１項に記載の照明装置。
【請求項６】
前記光反射部は、前記光学部材に印刷処理を施すことで形成されていることを特徴とする請求項１から請求項５のいずれか１項に記載の照明装置。
【請求項７】
前記光源高密度領域は、前記シャーシの中央部に形成されていることを特徴とする請求項１から請求項６のいずれか１項に記載の照明装置。
【請求項８】
前記光源低密度領域は、前記シャーシの中央部の外側に位置する外側部に形成されていることを特徴とする請求項１から請求項７のいずれか１項に記載の照明装置。
【請求項９】
前記光源高密度領域の面積は、前記光源低密度領域の面積に比べて小さいことを特徴とする請求項１から請求項８のいずれか１項に記載の照明装置。
【請求項１０】
前記シャーシは、平面視矩形状とされ、
前記線状光源は、その長手方向が前記シャーシの長辺方向と一致する形で配置されていることを特徴とする請求項１から請求項９のいずれか１項に記載の照明装置。
【請求項１１】
前記線状光源は、冷陰極管であることを特徴とする請求項１から請求項１０のいずれか１項に記載の照明装置。
【請求項１２】
前記線状光源は、熱陰極管であることを特徴とする請求項１から請求項１０のいずれか１項に記載の照明装置。
【請求項１３】
前記線状光源は、長手状をなす基板に点状光源が配列されてなることを特徴とする請求項１から請求項１０のいずれか１項に記載の照明装置。
【請求項１４】
前記点状光源のうち、少なくとも前記光源低密度領域に属する前記点状光源の光出射側には、当該点状光源からの光を拡散可能な拡散レンズが配されていることを特徴とする請求項１３に記載の照明装置。
【請求項１５】
前記拡散レンズは、平面視円形をなしていることを特徴とする請求項１４に記載の照明装置。
【請求項１６】
前記拡散レンズのうち、前記点状光源と対向し、当該点状光源からの光が入射する光入射面には、前記点状光源と重畳する位置に前記光学部材側に窪んだ形で光入射側凹部が形成されており、
前記光入射側凹部は、その側壁が前記点状光源と対向する形で傾斜した構成とされることを特徴とする請求項１４又は請求項１５に記載の照明装置。
【請求項１７】
前記拡散レンズのうち、前記光学部材と対向し、前記点状光源から入射した光を出射する光出射面には、前記点状光源と重畳する位置に当該点状光源側に窪んだ形の光出射側凹部が形成されていることを特徴とする請求項１４から請求項１６のいずれか１項に記載の照明装置。
【請求項１８】
前記拡散レンズのうち少なくとも前記光入射面には、表面粗し処理が施されていることを特徴とする請求項１４から請求項１７のいずれか１項に記載の照明装置。
【請求項１９】
前記点状光源は、ＬＥＤであることを特徴とする請求項１４から請求項１８のいずれか１項に記載の照明装置。
【請求項２０】
前記光学部材は、前記線状光源からの光を拡散する光拡散部材であることを特徴とする請求項１から請求項１９のいずれか１項に記載の照明装置。
【請求項２１】
請求項１から請求項２０のいずれか１項に記載の照明装置と、
前記照明装置からの光を利用して表示を行う表示パネルと、を備えることを特徴とする表示装置。
【請求項２２】
前記表示パネルが液晶を用いた液晶パネルであることを特徴とする請求項２１に記載の表示装置。
【請求項２３】
請求項２１又は請求項２２に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるものが周知であり、液晶パネル側の面に開口部を有したシャーシと、ランプとしてシャーシ内に収容される多数個の光源（例えば冷陰極管）と、シャーシの開口部に配されて光源が発する光を効率的に液晶パネル側へ放出させるための光学部材（拡散板等）とを備える。【０００３】
かかるバックライト装置は、光源が線状の光を出射するものとされる場合には、線状の光を光学部材により面状の光に変換することで、照明光の面内輝度均一化を図る構成とされている。しかし、この面状の光への変換が十分に行われない場合には、光源の配置に基づいた線状のランプイメージが発生し、液晶表示装置の表示品質を劣化させてしまう。【０００４】
当該バックライト装置においてランプイメージの発生を抑制するためには、例えば、配置する光源の数を増やして隣り合う光源間の距離を小さくしたり、拡散板の拡散度を高くしたりすることが望ましい。しかしながら、光源の数を増大すれば、当該バックライト装置のコストが増大するとともに、消費電力も増大してしまう。また、拡散板の拡散度を高くすると、輝度を上昇させることができず、やはり光源の数を増大させる必要が生じるといった問題も発生してしまう。そこで、消費電力を抑制しつつランプイメージの発生を抑制するバックライト装置として、下記特許文献１に開示のものが知られている。【０００５】
特許文献１に記載のバックライト装置では、複数の光源の投光方向に配される拡散板を備え、当該拡散板には、調光用ドットパターンが印刷されている。特に、光源の直上ではドットの径が大きく、光源から離れるに従いドットの径が小さくなる構成とされている。このような構成によれば、光源から出射された光を効率的に利用することで、光源の消費電力を上げることなく、輝度が均一化された光を照射することができるとされている。
【先行技術文献】
【特許文献】
【０００６】
【特許文献１】特開２００５−１１７０２３号公報
【０００７】
（発明が解決しようとする課題）
しかしながら、特許文献１に開示の装置では、拡散板の全体に亘って調光用ドットパターンが形成されているため、光源からの光の多くがドットにより反射され、当該バックライト装置全体として輝度が低下し易い。特に、例えば、光源がバックライト装置の中央部に置かれた場合には、光源の直上ではドットの径が大きいものとされているため、照射面の中央部の輝度が低下し得ることとなる。当該バックライト装置が表示装置に用いられる場合、人間の目は、通常、表示画面の中央部に注意が注がれるため、当該中央部の輝度が小さいと、低輝度領域が目立ち易く、著しく視認性が低下し得る。このように、消費電力を抑制しつつランプイメージの発生を抑制するバックライト装置の開発には、まだ改善の余地が残されている。
【発明の概要】
【０００８】
本発明は、上記のような事情に基づいてなされたものであって、低コスト化及び消費電力の抑制を実現しつつランプイメージの発生を抑制した照明装置を提供することを目的としている。また、本発明は、そのような照明装置を備えた表示装置、さらに、そのような表示装置を備えたテレビ受信装置を提供することを目的とする。
【０００９】
（課題を解決するための手段）
上記課題を解決するために、本発明の照明装置は、並列配置された複数の線状光源と、前記線状光源を収容し、前記線状光源の光を出射するための開口部を有するシャーシと、前記線状光源と対向し、前記開口部を覆う形で配される光学部材と、を備え、前記線状光源は、その配列間隔が相対的に密である光源高密度領域と、配列間隔が相対的に疎である光源低密度領域と、を有して配置されており、前記光学部材のうち、少なくとも前記光源低密度領域と重畳する部位には、前記線状光源からの光を反射する光反射部が形成されていることを特徴とする。
【００１０】
このように、線状光源を光源高密度領域と光源低密度領域とを有する形で配置することにより、シャーシ全体に亘って光源高密度領域を形成する場合に比して、線状光源の数を低減することができ、コスト削減及び省電力化を実現することが可能となる。ところで、このように光源低密度領域を形成する場合には、当該光源低密度領域においては隣り合う線状光源同士の間の距離が比較的大きくなるため、各線状光源から出射された光が互いに混ざり合うことなく光学部材に到達し易い。その結果、光学部材において線状光源と重畳する部位の輝度が局所的に大きくなり、ランプイメージが発生し易い。そこで、本発明では、光学部材のうち、少なくとも光源低密度領域と重畳する部位には、線状光源からの光を反射する光反射部を形成している。これにより、光源低密度領域において各線状光源から出射された光の多くは、光反射部により一旦シャーシ側へ反射されることとなる。この反射光は、互いに混ざり合いながらシャーシ内で反射させ、再び光学部材に到達させることが可能となり得る。これにより、光学部材全体に亘ってほぼ均一な輝度を得ることができ、ランプイメージの発生を抑制することが可能となる。
【００１１】
前記光反射部は、前記光学部材のうち前記線状光源と平面視重畳する位置に形成されているものとすることができる。
このような構成によれば、各線状光源から出射された光が確実に光反射部に到達し、当該光反射部によりシャーシ側へ互いに混ざり合いながら反射されることが可能となり得るため、ランプイメージの発生をより一層抑制することが可能となる。
【００１２】
前記線状光源の短手方向において、前記光反射部の平面視した長さは、前記線状光源の平面視した長さに比べて大きいものとすることができる。
このような構成によれば、線状光源から出射された光を光反射部により確実に反射することが可能となるため、ランプイメージの発生をより一層抑制することが可能となる。
【００１３】
前記光反射部は、前記光学部材のうち前記光源低密度領域と重畳する部位において当該光学部材の光反射率が最も大きくなるように形成されているものとすることができる。
このような構成によれば、最もランプイメージが発生し易い光源低密度領域に対して、光学部材のうち当該光源低密度領域と重畳する部位において線状光源からの光を最も多く反射することができるため、各線状光源からの光が混ざり合い易くなり得、ランプイメージの発生を好適に抑制することが可能となる。
【００１４】
前記光反射部は、前記光学部材のうち前記線状光源と対向する面に形成されているものとすることができる。
このような構成によれば、線状光源から光学部材に到達する光を確実に反射することができるため、ランプイメージの発生を抑制することが可能となる。
【００１５】
前記光反射部は、前記光学部材に印刷処理を施すことで形成されているものとすることができる。
このように、印刷処理によって光反射部を形成することにより、光反射部のパターンの態様を適宜設計することが可能となり、かつ、容易に設計どおりの光反射部のパターンを形成することが可能となる。
【００１６】
前記光源高密度領域は、前記シャーシの中央部に形成されているものとすることができる。
このような構成によれば、当該照明装置の照射面の中央部の輝度を向上させることが可能となる。したがって、当該照明装置を備えた表示装置においても、表示画面の中央部が高輝度化する。人間の目は、通常、表示画面の中央部に注意が注がれるため、表示画面の中央部が高輝度化することにより、良好な視認性を得ることが可能となる。
【００１７】
前記光源低密度領域は、前記シャーシの中央部の外側に位置する外側部に形成されているものとすることができる。
このような構成によれば、当該照明装置の照射面の中央部に比べて外側部の輝度が低下する場合があり得るが、人間の目は、通常、表示画面の中央部に注意が注がれるため、視認性にはほとんど影響を与えることなく線状光源の数を低減することができ、コスト削減及び省電力化を実現することが可能となる。
【００１８】
前記光源高密度領域の面積は、前記光源低密度領域の面積に比べて小さいものとすることができる。
このように、光源高密度領域の面積が光源低密度領域の面積よりも小さいものとすることにより、線状光源の数をより一層低減することができ、低コスト化及び省電力化において大きな効果が期待できる。
【００１９】
前記シャーシは、平面視矩形状とされ、前記線状光源は、その長手方向が前記シャーシの長辺方向と一致する形で配置されているものとすることができる。
このような構成によれば、シャーシの短辺方向と線状光源の長手方向とを一致させる場合に比べて線状光源の数を減少させることが可能となる。したがって、例えば線状光源の点灯・消灯を制御する制御ユニットの数を減少させることができるため、低コスト化を実現することが可能となる。
【００２０】
前記線状光源は、冷陰極管とすることができる。
このようにすれば、長寿命化などを図ることができ、また調光を容易に行うことが可能となる。
【００２１】
前記線状光源は、熱陰極管とすることができる。
このようにすれば、高輝度化などを図ることができる。
【００２２】
前記線状光源は、長手状をなす基板に点状光源が配列されてなるものとすることができる。
このようにすれば、点状光源の配列密度が異なる複数種の基板を用意したり、基板の配列間隔を変えたりすることで、線状光源の配列間隔を変化させることが可能となる。
【００２３】
前記点状光源のうち、少なくとも前記光源低密度領域に属する前記点状光源の光出射側には、当該点状光源からの光を拡散可能な拡散レンズが配されているものとすることができる。
このような構成によれば、点状光源から発せられた光は、まず拡散レンズにより拡散されることとなる。これにより、光の指向性の高い点状光源を用いた場合にも、その指向性が緩和されることになる。その結果、点状光源が比較的疎に配置された光源低密度領域においても、隣り合う点状光源の光が互いに混ざり合うこととなり、ランプイメージの発生をより抑制することが可能となる。そして、光学部材の光源低密度領域と重畳する領域に形成された光反射部の効果も相俟って、当該光源低密度領域におけるランプイメージの発生を一層抑制することが可能となっている。
【００２４】
前記拡散レンズは、平面視円形をなしているものとすることができる。
この場合、点状光源からの光は拡散レンズにより３６０度にほぼ均一に拡散されることとなるため、ランプイメージの発生をより一層抑制することが可能となる。
【００２５】
前記拡散レンズのうち、前記点状光源と対向し、当該点状光源からの光が入射する光入射面には、前記点状光源と重畳する位置に前記光学部材側に窪んだ形で光入射側凹部が形成されており、前記光入射側凹部は、その側壁が前記点状光源と対向する形で傾斜した構成とすることができる。
このような構成によれば、点状光源から出射された光の多くが拡散レンズの光入射側凹部に入射する。ここで、光入射側凹部は、その側壁が点状光源と対向する形で傾斜した構成とされている。したがって、光入射側凹部に入射した光は、側壁に到達し、当該側壁を介して広角に（すなわち、拡散レンズの内側から外側に向けて）拡散レンズ内に屈折し得ることとなる。これにより、拡散レンズのうち点状光源と重畳する領域の輝度が局所的に大きくなることを抑制することができ、ランプイメージの発生をより一層抑制することが可能となる。
【００２６】
前記拡散レンズのうち、前記光学部材と対向し、前記点状光源から入射した光を出射する光出射面には、前記点状光源と重畳する位置に当該点状光源側に窪んだ形の光出射側凹部が形成されているものとすることができる。
この場合、光出射面のうち点状光源と重畳する領域は、他の領域に比べて点状光源から到達する光量が大きくなり易く、輝度が局所的に大きくなりがちとなる。そこで、光出射面のうち点状光源と重畳する位置に光出射側凹部を形成することにより、当該光出射側凹部により点状光源からの光を広角に屈折させたり、あるいは点状光源からの光の一部を反射させたりすることができる。これにより、光出射面のうち点状光源と重畳する領域の輝度が局所的に大きくなることを抑制することができ、ランプイメージの発生をより一層抑制することが可能となる。
【００２７】
前記拡散レンズのうち少なくとも前記光入射面には、表面粗し処理が施されているものとすることができる。
このように、拡散レンズに例えばシボ処理等の表面粗し処理を行うことにより、より一層良好な光の拡散を行うことが可能となる。
【００２８】
前記点状光源は、ＬＥＤとすることができる。
このようにすれば、長寿命化並びに低消費電力化などを図ることができる。
【００２９】
前記光学部材は、前記線状光源からの光を拡散する光拡散部材とすることができる。
この場合、光学部材の光反射率分布によって、当該光学部材における領域ごとに光透過率をコントロールすることに加えて、光拡散部材によって光の拡散が可能となるため、当該照明装置においてランプイメージの発生をより一層抑制することが可能となる。
【００３０】
次に、上記課題を解決するために、本発明の表示装置は、上述した照明装置と、当該照明装置からの光を利用して表示を行う表示パネルと、を備えることを特徴とする。
このような表示装置によると、照明装置において低コスト化しつつランプイメージの発生を抑制することが可能となるため、当該表示装置においても低コスト化しつつランプイメージの発生が抑制された良好な表示を実現することが可能となる。
【００３１】
前記表示パネルとしては液晶パネルを例示することができる。このような表示装置は液晶表示装置として、種々の用途、例えばテレビやパソコンのディスプレイ等に適用でき、特に大型画面用として好適である。
【００３２】
また、本発明のテレビ受信装置は、上記表示装置を備えることを特徴とする。
このようなテレビ受信装置によると、視認性に優れた装置を提供することが可能となる。
【００３３】
（発明の効果）
本発明の照明装置によると、低コスト化及び消費電力の抑制を実現しつつランプイメージが発生しないほぼ均一な照明光を得ることが可能となる。また、本発明の表示装置によると、そのような照明装置を備えてなるため、低コスト化しつつ良好な表示を実現することが可能となる。また、本発明のテレビ受信装置によると、そのような表示装置を備えてなるため、視認性に優れた装置を提供することが可能となる。
【図面の簡単な説明】
【００３４】
【図１】本発明の実施形態１に係るテレビ受信装置の概略構成を示す分解斜視図
【図２】テレビ受信装置が備える液晶表示装置の概略構成を示す分解斜視図
【図３】液晶表示装置の短辺方向に沿った断面構成を示す断面図
【図４】液晶表示装置の長辺方向に沿った断面構成を示す断面図
【図５】液晶表示装置に備わるシャーシにおける冷陰極管の配置構成を示す平面図
【図６】バックライト装置に備わる拡散板のうち冷陰極管と対向する面に形成された光反射部の配置態様を示す模式図
【図７】図６の拡散板の短辺方向における光反射率の変化を示すグラフ
【図８】拡散板のうち冷陰極管と対向する面に形成された光反射部の配置態様の一変形例を示す模式図
【図９】シャーシに配置された冷陰極管の配置構成を示す平面図
【図１０】実施形態２に係るテレビ受信装置の概略構成を示す分解斜視図
【図１１】図１０のテレビ受信装置が備える液晶表示装置の短辺方向に沿った断面構成を示す断面図
【図１２】液晶表示装置に備わるシャーシにおけるＬＥＤ基板の配置構成を示す平面図
【図１３】バックライト装置に備わる拡散板のうちＬＥＤ基板と対向する面に形成された光反射部の配置態様を示す模式図
【図１４】ＬＥＤ基板に配されたＬＥＤ光源の概略構成を示す断面図
【図１５】液晶表示装置に備わる拡散板に形成された光反射部の配置態様の一変形例について示す断面図
【図１６】図１５の液晶表示装置に備わる拡散板の短辺方向における光反射率の変化を示すグラフ
【図１７】液晶表示装置に備わるＬＥＤ光源の概略構成の一変形例について示す断面図
【図１８】図１６の液晶表示装置に備わるシャーシにおけるＬＥＤ基板の配置構成を示す平面図
【図１９】液晶表示装置に備わるＬＥＤ光源の概略構成、及び拡散板に形成された光反射部の配置態様の一変形例について示す断面図
【発明を実施するための形態】
【００３５】
＜実施形態１＞
本発明の実施形態１を図１ないし図７によって説明する。
まず、液晶表示装置１０を備えたテレビ受信装置ＴＶの構成について説明する。
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３６】
次に、液晶表示装置１０を構成する液晶パネル１１及びバックライト装置１２について説明する（図２から図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。
【００３７】
バックライト装置１２は、図２に示すように、光出射面側（液晶パネル１１側）に開口部１４ｂを有した略箱型をなすシャーシ１４と、シャーシ１４の開口部１４ｂを覆うようにして配される光学シート群１５（拡散板（光学部材、光拡散部材）１５ａと、拡散板１５ａと液晶パネル１１との間に配される複数の光学シート１５ｂ）と、シャーシ１４の長辺に沿って配され拡散板１５ａの長辺縁部をシャーシ１４との間で挟んで保持するフレーム１６とを備える。さらに、シャーシ１４内には、冷陰極管（線状光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。
【００３８】
シャーシ１４は、金属製とされ、図３及び図４に示すように、矩形状の底板１４ａと、その各辺から立ち上がり略Ｕ字状に折り返された折返し外縁部２１（短辺方向の折返し外縁部２１ａ及び長辺方向の折返し外縁部２１ｂ）とからなる浅い略箱型に板金成形されている。さらに、シャーシ１４の折返し外縁部２１ｂの上面には、図３に示すように、固定孔１４ｃが穿設されており、例えばネジ等によりベゼル１３、フレーム１６、及びシャーシ１４等を一体化することが可能とされている。
【００３９】
シャーシ１４の底板１４ａの内面側（冷陰極管１７と対向する面側）には反射シート２３が配設されている。反射シート２３は、合成樹脂製とされ、その表面が光反射性に優れた白色とされており、シャーシ１４の底板１４ａの内面に沿ってそのほぼ全域を覆うように敷設されている。当該反射シート２３の長辺縁部は、図３に示すように、シャーシ１４の折返し外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。
【００４０】
冷陰極管１７は、線状の光源とされ、その長手方向（軸方向）をシャーシ１４の長辺方向と一致させた状態で、シャーシ１４内に１０本並列配置されている。より具体的には、冷陰極管１７は、図３及び図５に示すように、シャーシ１４の底板１４ａ（拡散板１５ａと対向する部位）の中央部に、その配列間隔が相対的に密となる光源高密度領域ＬＨが形成されるように配置されており、当該光源高密度領域ＬＨ内においてはその配列間隔が一定とされている。また、冷陰極管１７は、底板１４ａの中央部より外側に位置する外側部においては、その配列間隔が相対的に疎となる光源低密度領域ＬＬが形成されるように配置されており、当該光源低密度領域ＬＬ内においてはその配列間隔が一定とされている。このように、冷陰極管１７の配列間隔を光源高密度領域ＬＨ及び光源低密度領域ＬＬ内でそれぞれ一定とすることにより、後述する拡散板１５ａの光反射部５０の設計が容易になるとともに、ランプクリップ１８を２種類用意することで対応することができ、コスト削減に寄与することが可能となる。ここで、シャーシ１４の底板１４ａの中央部に位置する光源高密度領域ＬＨの面積は、底板１４ａの外側部に位置する光源低密度領域ＬＬの面積に比べて小さいものとなっている。なお、本実施形態では、光源高密度領域ＬＨに配された冷陰極管を高密度側冷陰極管１７ｂと、光源低密度領域ＬＬに配された冷陰極管を低密度側冷陰極管１７ａとして図示している。
【００４１】
シャーシ１４の底板１４ａの外面側（冷陰極管１７が配された側とは反対側）には、図３から図５に示すように、インバータ基板２９が取り付けられており、当該インバータ基板２９から冷陰極管１７へ駆動電力が供給されている。冷陰極管１７の各端部には駆動電力を受容する端子（図示せず）が備えられ、当該端子とインバータ基板２９から延びるハーネス２９ａとが電気的に接続されることで高圧の駆動電力の供給が可能とされている。かかる電気的接続は冷陰極管１７の端部が嵌め込まれた中継コネクタ１９内で形成され、当該中継コネクタ１９を被覆するようにホルダ２０が取り付けられている。
【００４２】
冷陰極管１７の端部及び中継コネクタ１９を覆うホルダ２０は、白色を呈する合成樹脂製とされ、図２に示すように、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２０ｄが突出しており、当該挿入ピン２０ｄがシャーシ１４の折返し外縁部２１ａの上面に形成された挿入孔２５に挿入されることで、当該ホルダ２０はシャーシ１４に取り付けられるものとされている。
【００４３】
冷陰極管１７の端部を覆うホルダ２０の階段状面は、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。
【００４４】
一方、シャーシ１４の開口部１４ｂ側には拡散板（光学部材、光拡散部材）１５ａと光学シート１５ｂとからなる光学シート群１５が配設されている。拡散板１５ａは、合成樹脂製の板状部材に光散乱粒子が分散配合されてなり、線状の光源たる冷陰極管１７（１７ａ，１７ｂ）から出射される線状の光を拡散する機能を有するとともに、冷陰極管１７の出射光を反射する光反射機能も併有している。
【００４５】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。
【００４６】
ここで、拡散板１５ａの光反射機能および光反射部形成態様について、図３ないし図６を参照しつつ説明する。なお、図３ないし図６においては、拡散板の長辺方向をＸ軸方向とし、短辺方向をＹ軸方向、厚さ方向をＺ軸方向としている。
【００４７】
拡散板１５ａには、冷陰極管１７と対向する側の面に白色のドットパターンをなす光反射部５０が形成されている。本実施形態では、光反射部５０の各ドットは丸型形状とされている。当該光反射部５０のドットパターンは、例えば金属酸化物（酸化チタン等）が含有されたペーストを拡散板１５ａの表面に印刷することにより形成される。当該印刷手段としては、スクリーン印刷、インクジェット印刷等が好適である。
【００４８】
光反射部５０は、冷陰極管１７と対向する面内の光反射率が８０％とされており、拡散板１５ａ自身の面内の光反射率が３０％とされるのに比して、相対的に大きい光反射率を有するものとされている。つまり、拡散板１５ａにおいて、光反射部５０が形成された部位の光反射率は、光反射部５０が形成されていない部位の光反射率に比べて大きいものとなる。ここで、本実施形態では、各材料の光反射率は、コニカミノルタ社製ＣＭ−３７００ｄのＬＡＶ（測定径φ２５．４ｍｍ）にて測定された測定径内の平均光反射率を用いている。光反射部５０自身の光反射率は、ガラス基板の一面全体に亘って当該光反射部５０を形成し、その形成面を上記測定手段に基づいて測定した値としている。なお、光反射部５０自身の光反射率は、８０％以上が好ましく、９０％以上がさらに好ましい。このように、光反射部５０の光反射率が大きいほど、ドットパターンのパターン態様（数、面積等）により、反射度合を細かく、かつ正確に制御することが可能となる。
【００４９】
本実施形態では、光反射部５０は、拡散板１５ａのうち、少なくとも光源低密度領域ＬＬと重畳する部位に配されており、特に低密度側冷陰極管１７ａと平面視重畳する位置に形成されている。また、図６に示すように、冷陰極管１７の短手方向にみると、光反射部５０の平面視した長さ（ここでは光反射部５０の直径）は、冷陰極管１７の平面視した長さに比べて大きいものとされている。このような光反射部５０の配置態様により、拡散板１５ａにおける冷陰極管１７と対向する面に光反射率は、図７に示すように、光源高密度領域ＬＨと重畳する部位において３０％で一定とされる一方、光源低密度領域ＬＬと重畳する部位では５０％で一定とされている。すなわち、拡散板１５ａの光反射率は、光源低密度領域ＬＬと重畳する部位において最も大きくなっている。
【００５０】
以上、実施形態１のテレビ受信装置ＴＶが備える液晶表示装置１０の構成について説明したが、続いて、その構成により発現される作用効果について説明する。
まず、本実施形態では、そのバックライト装置１２が、並列配置された複数の冷陰極管１７（１７ａ，１７ｂ）を有し、当該冷陰極管１７は、その配列間隔が相対的に密である光源高密度領域ＬＨと、配列間隔が相対的に疎である光源低密度領域ＬＬと、を有して配置されている。そして、拡散板１５ａのうち、少なくとも光源低密度領域ＬＬと重畳する部位には、冷陰極管１７（低密度側冷陰極管１７ａ）からの光を反射する光反射部５０が形成された構成となっている。このように冷陰極管１７を光源高密度領域ＬＨと光源低密度領域ＬＬとを有する形で配置することにより、シャーシ１４全体に亘って光源高密度領域ＬＨを形成する場合に比して、冷陰極管１７の数を低減することができ、コスト削減及び省電力化が実現されている。
【００５１】
ところで、光源低密度領域ＬＬを形成する場合には、当該光源低密度領域ＬＬにおいては隣り合う冷陰極管１７，１７（１７ａ，１７ａ）同士の間の距離が比較的大きくなるため、各冷陰極管１７（１７ａ）から出射された光が互いに混ざり合うことなく拡散板１５ａに到達し易い。その結果、拡散板１５ａにおいて冷陰極管１７（１７ａ）と重畳する部位の輝度が局所的に大きくなり、ランプイメージが発生し易い。そこで、本実施形態では、拡散板１５ａのうち、少なくとも光源低密度領域ＬＬと重畳する部位には、冷陰極管１７（１７ａ）からの光を反射する光反射部５０を形成している。これにより、光源低密度領域ＬＬにおいて各冷陰極管１７（１７ａ）から出射された光の多くは、光反射部５０により一旦シャーシ１４側へ反射されることとなる。この反射光は、互いに混ざり合いながらシャーシ１４内で反射させ、再び拡散板１５ａに到達させることが可能となり得る。これにより、拡散板１５ａ全体に亘ってほぼ均一な輝度を得ることができ、ランプイメージの発生を抑制することが可能となっている。
【００５２】
また、本実施形態では、光反射部５０は、拡散板１５ａのうち冷陰極管１７（１７ａ）と平面視重畳する位置に形成している。したがって、各冷陰極管１７（１７ａ）から出射された光が確実に光反射部５０に到達し、当該光反射部５０によりシャーシ１４側へ互いに混ざり合いながら反射されることが可能となり得るため、ランプイメージの発生をより一層抑制できるものとなっている。
【００５３】
また、冷陰極管１７（１７ａ）の短手方向において、光反射部５０の平面視した長さを、冷陰極管１７（１７ａ）の平面視した長さに比べて大きいものとしている。したがって、 冷陰極管１７（１７ａ）から出射された光を光反射部５０により確実に反射することが可能となるため、ランプイメージの発生をより一層抑制できるものとなっている。
【００５４】
また、光反射部５０を、拡散板１５ａのうち光源低密度領域ＬＬと重畳する部位において当該拡散板１５ａの光反射率が最も大きくなるように形成している。この場合、拡散板１５ａのうちランプイメージが発生し易い光源低密度領域ＬＬと重畳する部位において、冷陰極管１７（１７ａ）からの光を最も多く反射することができ、各冷陰極管１７（１７ａ）からの光が混ざり合い易くなり得、ランプイメージの発生を好適に抑制することが可能となっている。
【００５５】
また、光反射部５０は、拡散板１５ａのうち冷陰極管１７（１７ａ）と対向する面に形成されている。したがって、冷陰極管１７（１７ａ）から拡散板１５ａに到達する光を確実に反射することができ、ランプイメージの発生を確実に抑制することが可能となっている。
【００５６】
また、光反射部５０は、拡散板１５ａに印刷処理を施すことで形成している。したがって、光反射部５０のパターンの態様を適宜設計することが可能となっており、かつ、容易に設計どおりの光反射部５０のパターンを形成することが可能となっている。
【００５７】
また、光源高密度領域ＬＨをシャーシ１４の中央部に形成している。これにより、当該バックライト装置１２の照射面の中央部の輝度が向上されている。その結果、液晶表示装置１０においても、表示画面の中央部が高輝度化する。人間の目は、通常、表示画面の中央部に注意が注がれるため、表示画面の中央部が高輝度化することにより、良好な視認性を得ることが可能となっている。
【００５８】
また、光源低密度領域ＬＬをシャーシ１４の中央部の外側に位置する外側部に形成している。このような構成によれば、当該バックライト装置１２の照射面の中央部に比べて外側部の輝度が低下する場合があり得るが、人間の目は、通常、表示画面の中央部に注意が注がれるため、視認性にはほとんど影響を与えることなく冷陰極管１７の数を低減することができ、コスト削減及び省電力化を実現することが可能となる。
【００５９】
また、光源高密度領域ＬＨの面積は、光源低密度領域ＬＬの面積に比べて小さいものとされている。光源高密度領域ＬＨの面積が光源低密度領域ＬＬの面積よりも小さいものとすることにより、冷陰極管１７の数をより一層低減することができるものとなっている。
【００６０】
また、シャーシ１４は、平面視矩形状とされ、冷陰極管１７は、その長手方向がシャーシ１４の長辺方向と一致する形で配置されている。これにより、シャーシ１４の短辺方向と冷陰極管１７の長手方向とを一致させる場合に比べて冷陰極管１７の数を減少させることが可能となる。したがって、例えば冷陰極管１７の点灯・消灯を制御する制御ユニットの数を減少させることができるため、低コスト化を実現することが可能となる。
【００６１】
また、拡散板１５ａは、冷陰極管１７からの光を拡散する光拡散部材としている。この場合、拡散板１５ａの光反射率分布によって、当該拡散板１５ａにおける領域ごとに光透過率をコントロールすることに加えて、光拡散部材によって光の拡散が可能となるため、当該バックライト装置１２においてランプイメージの発生をより一層抑制することが可能となる。
【００６２】
また、線状光源として冷陰極管を採用しているため、長寿命化などを図ることができ、また調光を容易に行うことが可能となる。
【００６３】
以上、本発明の実施形態１を示したが、本発明は上記実施の形態に限られるものではなく、例えば以下に示す種々の変形例を採用することができる。なお、以下の各変形例において、上記実施形態と同一の構成要素・構成部材については同一の符号を付して説明を省略している。
【００６４】
［実施形態１の変形例１］
拡散板１５ａにおける光反射部５０の配置態様の一変形例として、図８に示すものを採用することができる。図８は拡散板のうち冷陰極管と対向する面に形成された光反射部の配置態様の一変形例を示す模式図である。
本例における拡散板１５ａは、図８に示すように、光源低密度領域ＬＬと重畳する部位に限らず、光源高密度領域ＬＨと重畳する部位にも、少なくとも冷陰極管１７（１７ａ，１７ｂ）と対向する位置に光反射部５０を備えている。この場合、光反射部５０は、光源高密度領域ＬＨと重畳する部位においては、ドットの面積を光源低密度領域ＬＬ側に比して小さく、および／またはドットの密度を光源低密度領域ＬＬ側に比して小さくして構成されている。これにより、当該拡散板１５ａの光反射率は、光源高密度領域ＬＨ側において、光源低密度領域ＬＬ側よりも小さいものとなっている。
【００６５】
本例の構成においても、バックライト装置１２の中央部の輝度を確保しつつ、冷陰極管１７の数を低減させることが可能となり、コスト削減が実現される。そして、特に、冷陰極管１７の数を低減させた外側部においては光反射部５０を形成しているため、輝度ムラの発生が抑制されている。また、中央部においても光反射部５０を部分的に形成することで、中央部における輝度ムラの発生も抑制されている。このような構成は、特に液晶表示装置１０の表示面の中央部の輝度を向上させたい場合にも好適である。
【００６６】
［実施形態１の変形例２］
冷陰極管１７の配列態様の一変形例として、図９に示すものを採用することができる。図９はシャーシに配置された冷陰極管の配置構成を示す平面図である。
シャーシ１４には、その中央部に光源高密度領域ＬＨが形成され、外側部に光源低密度領域ＬＬが形成されている。ここで、本例では、光源高密度領域ＬＨ内において高密度側冷陰極管１７ｂは、シャーシ１４の短辺方向の中心線から遠ざかる方向に向けて、その配列間隔が連続的に大きくなっている。さらに、光源低密度領域ＬＬ内においても低密度側冷陰極管１７ａは、シャーシ１４の短辺方向の中心線から遠ざかる方向に向けて、その配列間隔が連続的に大きくなっている。つまり、シャーシ１４全体でみると、シャーシ１４の短辺方向の中心から外側に向けて、冷陰極管１７の配列間隔が連続的に漸次大きくなる構成とされている。
【００６７】
本例の構成においても、冷陰極管１７の数を低減させることが可能となり、コスト削減が実現される。特に、冷陰極管１７（１７ａ，１７ｂ）の配列間隔が、シャーシ１４の短辺方向の中心から外側に向けて連続的に漸次大きくなっているため、バックライト装置１２全体として輝度ムラが生じ難いものとなっている。
【００６８】
＜実施形態２＞
次に、本発明の実施形態２を図１０ないし図１４によって説明する。
この実施形態２のテレビ受信装置ＴＶが備える液晶表示装置１０においては、実施形態１とは光源が異なっており、その他は前記実施形態１と同様である。前記実施形態１と同一部分には、同一符号を付して重複する説明を省略する。
【００６９】
実施形態２に採用したバックライト装置１２は、図１０に示すように、シャーシ１４内に、点状のＬＥＤ光源（点状光源）８０を備えたＬＥＤ基板（基板）８１が備えられている。ＬＥＤ基板８１は、樹脂製の長手状をなす薄い板状部材とされる。このＬＥＤ基板８１は、いわゆるＬＥＤテープなどのように可撓性を有するものを採用することができ、その裏面側（ＬＥＤ光源８０が配された側とは反対側）に取り付けられた両面テープ（図示せず）などによりシャーシ１４の底板１４ａに固定される。当該ＬＥＤ基板８１は、その長手方向をシャーシ１４の長辺方向と一致させた形で、複数枚が平面内に整列配置されている。なお、ＬＥＤ基板８１は、その光出射側の面、つまり拡散板１５ａと対向する面側に敷設された反射シート８２と、反射シート８２に取り囲まれ、つまり反射シート８２に形成された開口部８２ａ（図１４参照）から露出するように配された複数のＬＥＤ光源８０とを有して構成されている。このように、本実施形態では、長手状をなすＬＥＤ基板８１に複数のＬＥＤ光源８０が配置されることにより、線状の光源が形成されている。
【００７０】
ＬＥＤ基板８１に形成された反射シート８２は、合成樹脂製とされ、その表面が光反射性に優れた白色とされており、シャーシ１４の底板１４ａの内面に沿ってそのほぼ全域を覆うように敷かれている。この反射シート８２により、ＬＥＤ光源８０から出射された光を拡散板１５ａ側に反射させることが可能となっている。
【００７１】
上記したＬＥＤ基板８１は、ＬＥＤ光源８０の配置間隔が相対的に密となっている高密度側ＬＥＤ基板８１ｂと、ＬＥＤ光源８０の配置間隔が相対的に疎となっている低密度側ＬＥＤ基板８１ａとに分けられる。図１１及び図１２に示すように、シャーシ１４の中央部には、高密度側ＬＥＤ基板８１ｂが配されており、ＬＥＤ光源８０の配置間隔が相対的に密となる光源高密度領域ＬＨが形成されている。一方、シャーシ１４の中央部より外側に位置する外側部には、低密度側ＬＥＤ基板８１ａが配されており、ＬＥＤ光源８０の配置間隔が相対的に疎となる光源低密度領域ＬＬが形成されている。シャーシ１４の中央部に位置する光源高密度領域ＬＨの面積は、シャーシ１４の外側部に位置する光源低密度領域ＬＬの面積に比べて小さいものとなっている。なお、光源高密度領域ＬＨに配されたＬＥＤ光源を高密度側ＬＥＤ光源８０ｂと、光源低密度領域ＬＬに配されたＬＥＤ光源を低密度側ＬＥＤ光源８０ａとして図示している。
【００７２】
ＬＥＤ光源８０（８０ａ，８０ｂ）は、白色発光するものであり、例えば赤色、緑色、青色の３種類のＬＥＤチップ（図示せず）が面実装された構成としてもよく、あるいは青色のＬＥＤチップと黄色蛍光体とを組み合わせた構成としてもよい。
【００７３】
また、図１１及び図１２に示すように、ＬＥＤ光源８０のうち低密度側ＬＥＤ光源８０ａは、当該低密度側ＬＥＤ光源８０ａから出射される光を拡散するための拡散レンズ２４により覆われている。なお、高密度側ＬＥＤ光源８０ｂは、拡散レンズ２４により覆われていない。
拡散レンズ２４は、空気より高い屈折率を有する透明な部材（例えば、アクリルやポリカーボネイト）により形成され、低密度側ＬＥＤ光源８０ａから発せられる光を屈折させることで、拡散する機能を担っている。拡散レンズ２４は、平面視において円形状をなし、その中心に低密度側ＬＥＤ光源８０ａが配置される構成となっており、図１４に示すように、低密度側ＬＥＤ光源８０ａの表側を覆う形で配されている。拡散レンズ２４は、平面視円形の平板状をなす基部２４Ａと、偏平な半球状をなす偏平球状部２４Ｂとを備えている。拡散レンズ２４の周縁部付近には、例えば３つの脚部２８が裏側へ突設されている。３つの脚部２８は平面視で拡散レンズ２４の中心部から、ほぼ等間隔（約１２０度間隔）で配置されており、例えば接着剤や熱硬化性樹脂などでＬＥＤ基板８１に接着されている。
【００７４】
拡散レンズ２４の下面（低密度側ＬＥＤ光源８０ａ側）には、低密度側ＬＥＤ光源８０ａの真上に対応する箇所を表側（図１４の上側、すなわち拡散板１５ａ側）に凹ませることで、略円錐形状をなす光入射側凹部２４Ｄが形成されている。光入射側凹部２４Ｄは、その側壁が低密度側ＬＥＤ光源８０ａと対向する形で傾斜した構成を有している。また、拡散レンズ２４の下面（低密度側ＬＥＤ光源８０ａ側）には、シボ処理等の表面粗し処理が施されている。また、拡散レンズ２４の頭頂部（拡散板１５ａと対向する側（すなわち光出射側）の頂部）には、略すり鉢状をなす光出射側凹部２４Ｅが形成されている。光出射側凹部２４Ｅの内周面は、断面視で円弧状をなしている。このような構成によって、図１４に示すように、低密度側ＬＥＤ光源８０ａからの光は、拡散レンズ２４と空気の境界で広角に屈折し、低密度側ＬＥＤ光源８０ａの周囲に拡散されることとなる。
【００７５】
一方、シャーシ１４の開口部１４ｂ側には拡散板１５ａ及び光学シート１５ｂとからなる光学シート群１５が配設されている。（図１０及び図１１参照）。以下、拡散板１５ａの光反射機能および光反射部形成態様について、図１０ないし図１２を参照しつつ説明する。なお、図１０ないし図１２においては、拡散板の長辺方向をＸ軸方向とし、短辺方向をＹ軸方向、厚さ方向をＺ軸方向としている。
【００７６】
拡散板１５ａには、ＬＥＤ光源８０と対向する側の面に白色のドットパターンをなす光反射部５０が形成されている。本実施形態では、光反射部５０の各ドットは丸型形状とされている。当該光反射部５０のドットパターンは、例えば金属酸化物（酸化チタン等）が含有されたペーストを拡散板１５ａの表面に印刷することにより形成される。当該印刷手段としては、スクリーン印刷、インクジェット印刷等が好適である。
【００７７】
光反射部５０は、ＬＥＤ光源８０と対向する面内の光反射率が８０％とされており、拡散板１５ａ自身の面内の光反射率が３０％とされるのに比して、相対的に大きい光反射率を有するものとされている。この光反射部５０は、拡散板１５ａのうち、少なくとも光源低密度領域ＬＬと重畳する部位に配されており、特に低密度側ＬＥＤ光源８０ａと平面視重畳する位置に形成されている。また、図１３に示すように、光反射部５０の平面視した面積は、ＬＥＤ光源８０（低密度側ＬＥＤ光源８０ａ）の平面視した面積に比べて大きいものとされている。このような光反射部５０の配置態様により、拡散板１５ａにおけるＬＥＤ光源８０と対向する側の面のうち、光源低密度領域ＬＬと重畳する部位において、当該拡散板１５ａの光反射率が最も大きくなっている。
【００７８】
以上説明したように、本実施形態では、線状光源として、長手状をなすＬＥＤ基板８１にＬＥＤ光源８０が配列されてなるものを採用している。このようにすれば、ＬＥＤ光源８０の配列密度が異なる複数種のＬＥＤ基板８１を用意することで、容易に線状光源の配列間隔を変化させることが可能となる。
【００７９】
また、ＬＥＤ光源８０のうち、少なくとも光源低密度領域ＬＬに属するＬＥＤ光源８０（８０ａ）の光出射側には、ＬＥＤ光源８０（８０ａ）からの光を拡散可能な拡散レンズ２４を配している。これにより、ＬＥＤ光源８０（８０ａ）から発せられた光はまず拡散レンズ２４により拡散される。したがって、光の指向性の高いＬＥＤ光源８０（８０ａ）を用いた場合にも、その指向性が緩和されることになる。その結果、ＬＥＤ光源８０（８０ａ）が比較的疎に配置された光源低密度領域ＬＬにおいても、隣り合うＬＥＤ光源８０（８０ａ）の光が互いに混ざり合うこととなり、ランプイメージの発生をより抑制できるものとなっている。そして、拡散板１５ａの光源低密度領域ＬＬと重畳する領域に形成された光反射部５０の効果も相俟って、当該光源低密度領域ＬＬにおけるランプイメージの発生が一層抑制されている。
【００８０】
なお、拡散レンズ２４は、平面視円形をなしている。これにより、ＬＥＤ光源８０（８０ａ）からの光は拡散レンズ２４により３６０度にほぼ均一に拡散されることとなるため、ランプイメージの発生をより一層抑制することが可能となっている。
【００８１】
また、拡散レンズ２４のうち、ＬＥＤ光源８０（８０ａ）と対向し、当該ＬＥＤ光源８０（８０ａ）からの光が入射する光入射面には、ＬＥＤ光源８０（８０ａ）と重畳する位置に光入射側凹部２４Ｄを形成し、光入射側凹部２４Ｄを、その側壁がＬＥＤ光源８０（８０ａ）と対向する形で傾斜するように構成している。このような構成により、ＬＥＤ光源８０（８０ａ）から出射された光の多くが拡散レンズ２４の光入射側凹部２４Ｄに入射することとなる。ここで、光入射側凹部２４Ｄは、その側壁がＬＥＤ光源８０（８０ａ）と対向する形で傾斜した構成とされているため、光入射側凹部２４Ｄに入射した光は、側壁に到達し、当該側壁を介して広角に（すなわち、拡散レンズ２４の内側から外側に向けて）拡散レンズ２４内に屈折し得ることとなる。これにより、拡散レンズ２４のうちＬＥＤ光源８０（８０ａ）と重畳する領域の輝度が局所的に大きくなることが抑制され、ランプイメージの発生がより一層抑制される。
【００８２】
また、拡散レンズ２４のうち、ＬＥＤ光源８０（８０ａ）から入射した光を出射する光出射面には、ＬＥＤ光源８０（８０ａ）と重畳する位置に当該ＬＥＤ光源８０（８０ａ）側に窪んだ形の光出射側凹部２４Ｅを形成している。光出射面のうちＬＥＤ光源８０（８０ａ）と重畳する領域は、他の領域に比べてＬＥＤ光源８０（８０ａ）から到達する光量が大きくなり易く、輝度が局所的に大きくなりがちとなる。そこで、光出射面のうちＬＥＤ光源８０（８０ａ）と重畳する位置に光出射側凹部２４Ｅを形成することにより、当該光出射側凹部２４ＥによりＬＥＤ光源８０（８０ａ）からの光を広角に屈折させたり、あるいはＬＥＤ光源８０（８０ａ）からの光の一部を反射させたりすることができる。これにより、光出射面のうちＬＥＤ光源８０（８０ａ）と重畳する領域の輝度が局所的に大きくなることが抑制され、ランプイメージの発生がより一層抑制される。
【００８３】
また、拡散レンズ２４のうち少なくとも光入射面には、表面粗し処理を施しているため、より一層良好な光の拡散を行うことが可能となる。
【００８４】
また、点状光源としてＬＥＤ光源８０を採用することにより、点状光源の長寿命化並びに低消費電力化などを図ることができる。
【００８５】
以上、本発明の実施形態２を示したが、本発明は上記実施の形態に限られるものではなく、例えば以下に示す種々の変形例を採用することができる。なお、以下の各変形例において、上記実施形態と同一の構成要素・構成部材については同一の符号を付して説明を省略している。
【００８６】
［実施形態２の変形例１］
拡散板１５ａにおける光反射部５０の配置態様の一変形例として、図１５及び図１６に示すものを採用することができる。図１５は液晶表示装置に備わる拡散板に形成された光反射部の配置態様の一変形例を示す断面図、図１６は図１５の液晶表示装置に備わる拡散板の短辺方向における光反射率の変化を示すグラフである。
【００８７】
本例における拡散板１５ａは、図１５に示すように、光源低密度領域ＬＬと重畳する位置に限らず、光源高密度領域ＬＨと重畳する位置にも、少なくともＬＥＤ光源８０（８０ａ，８０ｂ）と対向する位置に光反射部５０を備えている。この場合、光反射部５０は、光源高密度領域ＬＨと重畳する位置においては、ドットの面積を光源低密度領域ＬＬ側に比して小さく、および／またはドットの密度を光源低密度領域ＬＬ側に比して小さくして構成されている。これにより、当該拡散板１５ａの光反射率は、図１６に示すように、光源高密度領域ＬＨ側において、光源低密度領域ＬＬ側よりも小さいものとなっている。
【００８８】
このような変形例においても、バックライト装置１２の中央部の輝度を確保しつつ、ＬＥＤ光源８０の数を低減可能となり、コスト削減が実現される。そして、特に、ＬＥＤ光源８０の数を低減させた外側部においては光反射部５０を形成しているため、輝度ムラの発生が抑制されている。また、中央部においても光反射部５０を部分的に形成することで、中央部における輝度ムラの発生も抑制されている。
【００８９】
［実施形態２の変形例２］
本変形例では、拡散レンズ２４を省略した構成を有する液晶表示装置１０について、図１７及び図１８を用いて説明する。図１７は液晶表示装置に備わるＬＥＤ光源の概略構成の一変形例について示す断面図、図１８は図１７の液晶表示装置に備わるシャーシにおけるＬＥＤ基板の配置構成を示す平面図である。
【００９０】
本例におけるバックライト装置１２は、図１７及び図１８に示すように、複数のＬＥＤ光源８０を備えた長手状のＬＥＤ基板８１が、その長手方向をシャーシ１４の長辺方向と一致させた形で複数枚整列配置されている。これらＬＥＤ基板８１は、ＬＥＤ光源８０の配置間隔が相対的に密となっている高密度側ＬＥＤ基板８１ｂと、ＬＥＤ光源８０の配置間隔が相対的に疎となっている低密度側ＬＥＤ基板８１ａとに分けられる。シャーシ１４の中央部には、高密度側ＬＥＤ基板８１ｂが配されており、ＬＥＤ光源８０の配置間隔が相対的に密となる光源高密度領域ＬＨが形成されている。一方、シャーシ１４の中央部より外側に位置する外側部には、低密度側ＬＥＤ基板８１ａが配されており、ＬＥＤ光源８０の配置間隔が相対的に疎となる光源低密度領域ＬＬが形成されている。なお、光源高密度領域ＬＨに配されたＬＥＤ光源を高密度側ＬＥＤ光源８０ｂと、光源低密度領域ＬＬに配されたＬＥＤ光源を低密度側ＬＥＤ光源８０ａとして図示している。
【００９１】
そして、本変形例では、実施形態２とは異なり、光源高密度領域ＬＨのＬＥＤ光源８０ｂと光源低密度領域ＬＬのＬＥＤ光源８０ａの双方に対して拡散レンズが設けられていない。つまり、光源の配置間隔が大きく低密度に構成されたＬＥＤ光源８０ａの輝度ムラを抑制する手段として、拡散板１５ａに光反射部５０が形成されているが、輝度ムラ抑制手段としての拡散レンズは設けていない。
【００９２】
この場合、光源の配置間隔次第ではあるものの、光反射部５０により光源低密度領域ＬＬのＬＥＤ光源８０ａによる輝度ムラを抑制することが可能である。特に輝度ムラを一層解消すべく、光反射部５０のドットの面積を実施形態２に比して大きくする、或いはドットの密度を実施形態２に比して大きくするものとしてもよい。
【００９３】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００９４】
（１）上記した実施形態２では、その変形例として拡散板における光反射部の配置態様を変更したり、拡散レンズを省略したりした構成を例示したが、図１９に示すように、これらを組み合わせた構成も採用することができる。この場合、光源の配置間隔次第ではあるものの、光反射部５０により光源低密度領域ＬＬのＬＥＤ光源８０ａによる輝度ムラを抑制することが可能である。また、光源高密度領域ＬＨに対して光反射部５０を部分的に形成することで、中央部における輝度ムラの発生も抑制することが可能となる。
【００９５】
（２）上記した実施形態２では、点状光源としてＬＥＤ光源を用いたものを示したが、グローランプ等、他の種類の点状光源を用いたものも本発明に含まれる。
【００９６】
（３）上記した各実施形態では、光反射部を構成するドットパターンの各ドットを丸型形状としたが、各ドットの形状はこれに限られるものではなく、四角型等の多角形型等任意の形状を選択することができる。
【００９７】
（４）上記した各実施形態では、光学シート群として拡散板と、拡散シート、レンズシート、反射型偏光板とを組み合わせた構成を例示したが、例えば光学シートとして２枚の拡散板を積層する構成を採用することもできる。
【００９８】
（５）上記した各実施形態では、拡散板のうち光源と対向する面に光反射部を形成するものとしたが、拡散板のうち光源とは反対側の面に光反射部を形成する構成としてもよい。
【００９９】
（６）上記した各実施形態では、光源高密度領域をシャーシの底板の中央部に形成する構成を例示したが、例えば光源高密度領域を底板の中央部に加えて端部の一部に形成する等、光源の光量やバックライト装置の使用条件などに応じて適宜変更することができる。
【０１００】
（７）上記した各実施形態では、線状光源として、冷陰極管や、長手状をなすＬＥＤ基板にＬＥＤ光源が配列されてなるものを用いたものを示したが、例えば熱陰極管など他の種類の線状光源を用いたものも本発明に含まれる。
【符号の説明】
【０１０１】
１０…液晶表示装置（表示装置）、１１…液晶パネル（表示パネル）、１２…バックライト装置（照明装置）、１４…シャーシ、１４ｂ…シャーシの開口部、１５ａ…拡散板（光学部材、光散乱部材）、１７…冷陰極管（線状光源）、１７ａ…低密度側冷陰極管（線状光源）、１７ｂ…高密度側冷陰極管（線状光源）、２４…拡散レンズ、２４Ｄ…光入射側凹部、２４Ｅ…光出射側凹部、５０…光反射部、８０…ＬＥＤ光源（点状光源）、８０ａ…低密度側ＬＥＤ光源（点状光源）、８０ｂ…高密度側ＬＥＤ光源（点状光源）、８１…ＬＥＤ基板（基板）、ＬＬ…光源低密度領域、ＬＨ…光源高密度領域、ＴＶ…テレビ受信装置
【図１】
2011036953.tif 000003
【図２】
2011036953.tif 000004
【図３】
2011036953.tif 000005
【図４】
2011036953.tif 000006
【図５】
2011036953.tif 000007
【図６】
2011036953.tif 000008
【図７】
2011036953.tif 000009
【図８】
2011036953.tif 000010
【図９】
2011036953.tif 000011
【図１０】
2011036953.tif 000012
【図１１】
2011036953.tif 000013
【図１２】
2011036953.tif 000014
【図１３】
2011036953.tif 000015
【図１４】
2011036953.tif 000016
【図１５】
2011036953.tif 000017
【図１６】
2011036953.tif 000018
【図１７】
2011036953.tif 000019
【図１８】
2011036953.tif 000020
【図１９】
2011036953.tif 000021
【国際調査報告】
2011036953.tif 000022
2011036953.tif 000023